(57)【特許請求の範囲】
【請求項１】
１対の互いに対向する放電電極と、該１対の放電電極に対して２次元的に広がる位置で該１対の放電電極と平行に配置された他の対の放電電極とを含み、対間で隣り合う放電電極が放出するイオンが吸引し合うように逆極性であり、各放電電極が極性が変わる直流放電器であり、対向する放電電極には逆極性が与えられるように切り替えられることを特徴とするアレイタイプの除電装置。
【請求項２】
１対の互いに対向する放電電極と、該一対の放電電極に対して２次元的に広がる位置で縦方向および（または）横方向に配置された複数の対または複数の放電電極とを含み、互いに隣り合う放電電極が放出するイオンが吸引し合うように逆極性であり、各放電電極が極性が変わる直流放電器であり、対向する放電電極には逆極性が与えられるように切り替えられることを特徴とするアレイタイプの除電装置。
【発明の詳細な説明】
【０００１】
【産業上の利用分野】
本発明は、複数の放電電極を空間内に配置したアレイタイプの除電装置に関する。
【０００２】
【従来の技術】
従来の除電器は、本出願人が出願した特許出願（特願２０００−２１８５１３）に記載のように交流式棒状除電器が主流であった。しかし、この交流式棒状除電器は精密で、かつ高価なため、誰もが簡単に使える物ではなかった。詳細は上記特許出願の明細書を参照されたい。
【０００３】
【発明が解決しようとする課題】
交流式棒状除電器では＋イオンと一イオンが直ぐに再結合してしまうので、飛距離は非常に短く、このため、送風機でもってイオンを飛ばしている。これに対し、直流除電器は送風機無しでもある程度は飛距離を確保できる。しかし、それでも高々70cmほどしか飛ばない。そのため実際の使用場面では、飛距離が不足し、十分な除電効果が得られず、困っていた。従来の除電器ではイオンの飛距離が不足し、広い鞄囲にわたって十分な除電効果が得られず、困っていた。
【０００４】
この従来例の欠点を考慮して本出願人は、上記出願で一対の放電電極を用いてイオンの飛距離を延ばしたバータイプの除電器を提案している。しかしながら、上記出願で提案した発明では、除電できる空間をかなり広げたものであるが、更に広い空間を除電できる放電装置が要請されていた。
【０００５】
したがって、本発明の目的は、上記先願の特許出願に記載の発明を改良して、さらに広い除電空間を得ることができるアレイタイプの除電装置を提供することにある。
【０００８】
【課題を解決するための手段】
前述の目的を達成するために、本発明は、１対の互いに対向する放電電極と、該１対の放電電極に対して２次元的に広がる位置で該１対の放電電極と平行に配置された他の対の放電電極とを含み、対間で隣り合う放電電極が放出するイオンが吸引し合うように逆極性であり、各放電電極が極性が変わる直流放電器であり、対向する放電電極には逆極性が与えられるように切り替えられることを特徴とするアレイタイプの除電装置を採用するものである。
【０００９】
本発明は、また、１対の互いに対向する放電電極と、該一対の放電電極に対して２次元的に広がる位置で縦方向および（または）横方向に配置された複数の対または複数の放電電極とを含み、互いに隣り合う放電電極が放出するイオンが吸引し合うように逆極性であり、各放電電極が極性が変わる直流放電器であり、対向する放電電極には逆極性が与えられるように切り替えられることを特徴とするアレイタイプの除電装置を採用するものである。
【００１０】
【実施例】
最初に、本発明を理解するのを容易にするために、図７、図８を参照して、前述の先願の出願明細書に記載の除電システムを説明する。図７に示すように、先願の発明においては、一対の放電電極１２、１２が対向するように配置され（なお、符号２０で示すものはイオン領域である）、図８に示すように、それぞれの放電電極に、イオン極性が時間軸上で切り替わるように、プラスとマイナスの電圧を交互に印加する。すると、図７に示すように、対向する放電電極から放出された逆極性のイオンが吸引し合い、従来より広い領域において、除電できるようになる。
【００１１】
ここで、本出願人は、イオンの放出において、イオンの放出方向が単一の方向または複数の方向に向けられているいずれの場合でも、直流放電の場合には、イオンの拡散により、放電電極の周囲にイオン領域が存在するようになる現象を見出している。本発明はこの現象を利用するものである。
【００１２】
図１は、先願発明の放電電極の配置を示す平面図である。図１に示すように、対抗する放電電極に逆極性の電圧を印加すると、それぞれの放電電極１２、１２から放出されたイオンは互いに吸引し合い、イオン領域が広がる。なお、この場合、前述したように、放電電極１２，１２の周囲にイオン領域が形成される。
【００１３】
図２は、本発明の放電電極の配置を平面図である。例えば、一対の横方向に配置した放電電極１２、１２に対して平行にそれの上、または下に他の一対の放電電極１２，１２を配置し、その際、隣接する放電電極が放出するイオンの極性を逆極性になるようにする。すると、上下の放電電極間でもイオンの吸引が起こり、イオン領域が広がり、図示のように、上下の放電電極間には連続したイオン領域発生される。ここで、仮に、上の一対の放電電極と下の一対の放電電極間で、上下に隣接する放電電極が同一極性となるようにすると、上下の間では、イオンの反発が発生し、連続したイオン領域を発生することはできず、イオンの空乏領域が形成され、除電機能が働かない領域が形成されることになる。
【００１４】
図３は、前述の原理を拡大した一般化したものを示すものであり、複数対のまたは複数個の放電電極が配列されている。この場合も互いに隣り合う放電電極は逆極性となるようなイオンが放出されるように構成されている。
【００１５】
図４、図５、図６は、図２の一般化したものの中に含まれるたの具体例を示すものであり、図４は、３つの放電電極を用いるものを示し、図５は４つの放電電極を用いるものを示し、図６は６つの放電電極を用いるものを示す。いずれの場合もイオン領域を広げることができる。
【００１６】
【発明の効果】
以上説明したように、本発明によれば、イオンを遠く飛ばすことが出来るようになり、従来不可能だった広域除電ができる新しい除電器が得られる。
【図面の簡単な説明】
【図１】図１は、先願発明の放電電極の配列を示す平面図である。
【図２】図２は、本発明の放電電極の配列を示す平面図である。
【図３】図３は、本発明の他の実施例の放電電極の配列を示す平面図である。
【図４】図４は、本発明の他の実施例の放電電極の配列を示す平面図である。
【図５】図５は、本発明の他の実施例の放電電極の配列を示す平面図である。
【図６】図６は、本発明の他の実施例の放電電極の配列を示す平面図である。
【図７】図７は、先願発明の除電器を説明するための図である。
【図８】図８は、先願発明の除電器を説明するための図である。
【符号の説明】
１２      放電電極
２０      イオン領域
【図１】
0004781539.tif 000002
【図２】
0004781539.tif 000003
【図３】
0004781539.tif 000004
【図４】
0004781539.tif 000005
【図５】
0004781539.tif 000006
【図６】
0004781539.tif 000007
【図７】
0004781539.tif 000008
【図８】
0004781539.tif 000009